(57)【特許請求の範囲】
【請求項１】
筋かいの下端部を鉛直材と横架材との隅角部に固定する金具であって、ほぼ平板状の筋かい当接部と、この筋かい当接部の一端縁からほぼ垂直に延出する鉛直材当接部と、上記筋かい当接部の鉛直材当接部が延出する端縁と直角に隣り合う端縁からほぼ垂直に延出する横架材当接部とを備え、上記筋かい当接部に、筋かい固定用部材を挿通するための複数の挿通孔が形成されてなる筋かい固定金具において、
該筋かい固定金具が鉛直材の側面と横架材の上面とに当接されたときに、上記筋かい当接部の、上記横架材より上方に支持される床材の上面よりも下方に位置する部分が、上記挿通孔が形成されない挿通孔非形成領域として設定されており、
上記挿通孔非形成領域は水平方向に等幅となっており、
上記筋かい当接部の床材の上面より上方は、上記挿通孔非形成領域より水平方向の幅が急拡大されていることを特徴とする筋かい固定金具。
【請求項２】
上記鉛直材当接部は、上記挿通孔非形成領域に相当する範囲より上方の部分で、延出幅が狭くなり、柱側面より後退した位置に形成された壁面より居室側に露出しないものであることを特徴とする請求項１記載の筋かい固定金具。
【請求項３】
上記鉛直材当接部と横架材当接部とのいずれか一方は、筋かい当接部から垂直に延出するように折り曲げられた領域と、上記鉛直材当接部と横架材当接部との他方から垂直に延出するように折り曲げ形成された領域とからなり、これらが同一平面上に形成されるととともに、互いの端面が対向して突き合わせ部を形成するものである、ことを特徴とする請求項１または請求項２記載の筋かい固定金具。
【請求項４】
上記挿通孔非形成領域には、横架材当接部が延出する端縁から少なくとも３０ｍｍの範囲を含み、上記端縁から１５０ｍｍまでの範囲内で設定されている、ことを特徴とする請求項１、請求項２または請求項３記載の筋かい固定金具。
【請求項５】
上記鉛直材当接部および横架材当接部に各々複数のビス孔が形成されており、
上記鉛直材当接部における上記各ビス孔の周縁部位が、鉛直材と当接される面側に凹むように形成されるとともに、上記横架材当接部における上記各ビス孔の周縁部位が、横架材と当接される面側に凹むように形成されている、ことを特徴とする請求項１から請求項４までのいずれかに記載の筋かい固定金具。
【請求項６】
請求項１から請求項５までのいずれかに記載の筋かい固定金具を用いた筋かい固定方法であって、
上記筋かい固定金具を鉛直材と横架材との隅角部に固定した後、上記隅角部に対応する部位に筋かい挿入用の切欠き部が形成された床材を上記横架材またはこれに支持された部材に固定し、その後、上記筋かいの下端部を上記切欠き部に挿入するとともに上記筋かい当接部に当接させた状態で、上記複数の挿通孔に上記筋かい固定用部材を挿通させて上記筋かいを上記筋かい固定金具に固定する、ことを特徴とする筋かい固定方法。
【発明の詳細な説明】
【０００１】
【発明の属する技術分野】
本願発明は、木造の軸組構造において、筋かいの下端部を鉛直材と横架材との隅角部に固定するために用いられる筋かい固定金具、および該筋かい固定金具を用いた筋かい固定方法に関するものである。
【０００２】
【従来の技術】
一般に、木造の軸組構造では、柱や間柱等の鉛直材と梁や胴差や土台等の横架材とで囲まれる矩形枠体内に筋かいを設けることにより、構造体に作用する水平力に対して抵抗力を増強し、構造体の過大な変形や倒壊を防止するようにしている。
【０００３】
上記筋かいは、その上下両端部において上記鉛直材と上記横架材との隅角部に固定されるが、筋かいの下端部を上記隅角部に固定する金具として、従来より、図８に示すような筋かい固定金具１００が知られている。
この筋かい固定金具１００は、鋼板の折り曲げ加工品であって、平板状の筋かい当接部１０２と、この筋かい当接部１０２の直角をなす二つの端縁からそれぞれ垂直に延出する鉛直材当接部１０４および横架材当接部１０６とからなっている。そして、上記筋かい当接部１０２には、釘・ビス等を挿通する複数の孔１０２ａが形成されるとともに、上記鉛直材当接部１０４および横架材当接部１０６には、複数のビス孔１０４ａ、１０６ａが各々形成されている。
【０００４】
そして、図９に示すように、上記鉛直材当接部１０４および横架材当接部１０６を、隅角部Ｃにおいて鉛直材（柱）４および横架材（土台）６に各々当接させた状態で、上記各ビス孔１０４ａ、１０６ａを介して鉛直材４および横架材６にビス１８を固定するする。一方、筋かい２は鉛直材当接部１０４および横架材当接部１０６の折り曲げられた内側または鉛直材４および横家財６に直接突き当てられ、側面が筋かい当接部１０２に押し当てられる。そして、筋かい当接部１０２の孔１０２ａを介して上記筋かい２に釘２０を打ち付けること等により、上記筋かい２を固定するようになっている。
【０００５】
【発明が解決しようとする課題】
しかしながら、上記従来の筋かい固定金具１００においては、上記筋かい当接部１０２に形成された複数のビス孔または釘孔１０２ａが、該筋かい当接部１０２の全域にわたってほぼ均一に分布するように形成されているので、次のような問題がある。
図９に示すように、居室部分には床材８が配設されるが、このような床材は、筋かいや間柱等のいわゆる端柄材を建て込む前に設置しておくと、作業性が向上するという利点があるとともに、安全性を確保するためにも望ましい。しかしながら、このような床工事が先に行われると、床材は一般に横架材の上面より上に設けられるために、上記筋かい固定金具の複数のビス孔または釘孔１０２ａのうち上記筋かい当接部１０２の下部領域に位置するいくつかのビス孔または釘孔１０２ａは上記床材８の上面８ａよりも下方に隠れてしまい、釘打ち等の固定作業を行うことが不可能あるいは極めて困難になる、という問題がある。
【０００６】
本願発明は、このような事情に鑑みてなされたものであって、床工事が先に行われる場合においても、筋かいの下端部を鉛直材と横架材との隅角部に容易にかつ強固に固定することができる筋かい固定金具および筋かい固定方法を提供することを目的とするものである。
【０００７】
【課題を解決するための手段】
本願発明に係る筋かい固定金具は、請求項１に記載したように、  筋かいの下端部を鉛直材と横架材との隅角部に固定する金具であって、ほぼ平板状の筋かい当接部と、この筋かい当接部の一端縁からほぼ垂直に延出する鉛直材当接部と、上記筋かい当接部の鉛直材当接部が延出する端縁と直角に隣り合う端縁からほぼ垂直に延出する横架材当接部とを備え、上記筋かい当接部に、筋かい固定用部材を挿通するための複数の挿通孔が形成されてなる筋かい固定金具において、  該筋かい固定金具が鉛直材の側面と横架材の上面とに当接されたときに、上記筋かい当接部の、上記横架材より上方に支持される床材の上面よりも下方に位置する部分が、上記挿通孔が形成されない挿通孔非形成領域として設定されており、  上記挿通孔非形成領域は水平方向に等幅となっており、  上記筋かい当接部の床材の上面より上方は、上記挿通孔非形成領域より水平方向の幅が急拡大されている、ことを特徴とするものである。
【０００８】
また、本願発明に係る筋かい固定方法は、請求項６に記載したように、  請求項１から請求項５までのいずれかに記載の筋かい固定金具を用いた筋かい固定方法であって、  上記筋かい固定金具を鉛直材と横架材との隅角部に固定した後、上記隅角部に対応する部位に筋かい挿入用の切欠き部が形成された床材を上記横架材またはこれに支持された部材に固定し、その後、上記筋かいの下端部を上記切欠き部に挿入するとともに上記筋かい当接部に当接させた状態で、上記複数の挿通孔に上記筋かい固定用部材を挿通させて上記筋かいを上記筋かい固定金具に固定する、ことを特徴とするものである。
【０００９】
上記「鉛直材」はほぼ鉛直方向に立設されるものであれば特定の部材に限定されるものではなく、例えば柱、間柱等がこれに該当し、また、上記「横架材」は、ほぼ水平方向に配置されるものであれば特定の部材に限定されるものではなく、例えば梁、胴差、土台等がこれに該当する。
上記「筋かい当接部」、「鉛直材当接部」および「横架材当接部」は、１枚の金属板に折り曲げ加工等を施すことにより一体形成された構成としてもよいし、複数の金属板に溶接等の接合あるいは機械的締結等を施すことにより一体に形成された構成としてもよい。
【００１０】
上記各「挿通孔」は、上記筋かい固定用部材を挿通させることが可能なものであれば、その形状、孔径等は特に限定されるものではない。また、上記「筋かい固定用部材」は、筋かいを筋かい当接部に固定することが可能なものであれば、特定種類の部材に限定されるものではなく、例えば、釘、ビス、ボルト等が採用可能である。
【００１１】
（作用）
上記構成に示すように、本願発明に係る筋かい固定金具は、その筋かい当接部に、筋かい固定用部材を挿通させるための複数の挿通孔が形成されているが、横架材またはこれに支持される部材に床材が取り付けられたとき、該床材の上面よりも下方に位置する下部領域は、上記挿通孔が形成されない挿通孔非形成領域として設定されている。このため、筋かいを設ける前に床材の設置を行った場合においても、上記複数の挿通孔はすべて上記床材の上面よりも上方に露出することとなる。したがって、上記複数の挿通孔に上記筋かい固定用部材を挿通させて上記筋かいの固定を行うことが容易に可能となる。そして、これにより上記筋かいの下端部の上記隅角部に対する結合強度を十分に確保することができる。
このように本願発明によれば、床工事が先に行われる場合においても、筋かいの下端部を鉛直材と横架材との隅角部に容易に固定することができる。
【００１２】
また、上記構成において、筋かい当接部の上記挿通孔非形成領域よりも上方に位置する領域を、挿通孔非形成領域よりも広幅に形成すれば、複数の挿通孔を該領域において広範囲にわたって分布させ、筋かいを広い面積で固定することができるので、筋かいの隅角部への結合強度を高めることができる。しかも、このような作用または効果を、上記床材に形成される筋かい挿入用の切欠き部の大きさを必要以上に大きくすることなく得ることができる。
【００１３】
さらに、請求項２に記載したように、鉛直材当接部の延出幅が挿通孔非形成領域より上方の部分で狭くなっているので、鉛直材当接部の端縁を居室側の柱側面に合わせて取り付けた場合にも、床面より上の部分では鉛直材当接部の端縁が柱側面より奥まった位置となり、柱側面より壁面を後退した位置に形成しても、この筋かい固定金具が居室側に露出するのを回避できる。
【００１４】
また、上記構成において、請求項３に記載したように、上記筋かい固定金具を、上記鉛直材当接部または横架材当接部に突き合わせ部を有する折り曲げ加工品として構成すれば、次のような作用または効果を得ることができる。
すなわち、上記筋かい固定金具は、その筋かい当接部のいずれの面に筋かいを当接させるようにしてもよいが、上記横架材と鉛直材との隅角部近傍部位にホールダウン金具が設けられている場合等のように、上記筋かい当接部の内側の面（すなわち上記鉛直材当接部および横架材当接部が延出する側の面）に当接させて使用せざるを得ない場合がある。このような場合、図８に示す従来の筋かい固定金具１００のように、上記横架材当接部１０６の側端縁から垂直に延長形成された舌状片１０６ｂが上記鉛直材当接部１０４の内面に重ね合わされた構成になっていると、図９に示すように、上記筋かい２の下端部２ａと上記鉛直材当接部１０４および横架材当接部１０６との密着性が不十分となり、上記筋かい２にガタツキが発生しやすくなる。そこで、請求項３に記載したように、上記筋かい固定金具を、上記鉛直材当接部または横架材当接部に突き合わせ部を有する折り曲げ加工品として構成すれば、製造価格を低廉に抑えるとともに、上記筋かいの下端部と上記鉛直材当接部および横架材当接部との密着性を高めることができ、これにより上記筋かいの軸力が確実に作用し、柱や横架材で構成される枠体の変形を拘束する機能が確実に発揮される。
【００１５】
上記床材の上面の位置は、通常、横架材の上面から３０ｍｍ程度以上高い位置となるので、請求項４に記載したように、上記筋かい当接部の、横架材当接部が延出する端縁から少なくとも３０ｍｍ程度の高さ位置までの領域を、上記挿通孔非形成領域として設定するのが望ましい。
【００１６】
さらに、請求項５に記載したように、上記鉛直材当接部における上記各ビス孔の周縁部位を鉛直材当接面側に凹むように形成するとともに、上記横架材当接部における上記各ビス孔の周縁部位を横架材当接面側に凹むように形成しておけば、上記鉛直材あるいは横架材に固定されたビスの頭が上記鉛直材当接部あるいは横架材当接部の内面に突出する（図９参照）のを、防止することあるいは最小限に抑えることが可能となる。これにより、上記筋かいの下端部と上記鉛直材当接部および横架材当接部との密着性を一層高めることができる。
【００１７】
また、本願発明に係る筋かい固定方法は、請求項６に記載したように、筋かいや間柱等のいわゆる端柄材を建て込む前に床材を設置しているので、上記端柄材を建て込む作業等を効率よくかつ安全に行なうことが可能となる。また、上記床材は、鉛直材と横架材との隅角部に対応した位置に切欠き部が形成されているので、床材が設置された後であっても筋かいをこの切欠き部に挿入して固定することができる。このとき隅角部に固定されている筋かい固定金具の筋かい当接部に設けられた挿通孔は床材の上面より上に位置しているので、この挿通孔を利用して筋かいを容易に固定することが可能となる。そして、これにより上記筋かいの下端部の上記隅角部に対する結合強度を十分に確保することができる。
【００１８】
【発明の実施の形態】
以下、本願発明に係る筋かい固定金具および筋かい固定方法の一実施形態について説明する。
図１は、本実施形態に係る筋かい固定金具１０を示す平面図（ａ）、正面図（ｂ）および側面図（ｃ）であり、図２は、その斜視図である。また、図３は、図１中に示すIII-III 線における断面図であり、図４は、上記筋かい固定金具１０により筋かい２の下端部２ａを柱４と土台６との隅角部Ｃに固定する際の状態を示す斜視図である。
これらの図に示すように、上記筋かい固定金具１０は、厚さ２．５ｍｍの鋼板からなる折り曲げ加工品であって、上記筋かい２の下端部２ａの側面に当接する筋かい当接部１２と、上記柱４等の鉛直材の側面に当接する鉛直材当接部１４と、上記土台６等の横架材の上面に当接する横架材当接部１６と、で構成されている。
【００１９】
上記筋かい当接部１２は、平板状で縦長に形成されており、その全高は１５０ｍｍである。この筋かい当接部１２は、その下端縁１２ａから高さ３５ｍｍまでの下部領域１２Ａは幅７５ｍｍ一定で形成されており、高さ５０ｍｍを超える上部領域１２Ｂは、幅９０ｍｍ一定で形成されており、その間の中間領域１２Ｃは、上方に向けて幅７５ｍｍから幅９０ｍｍに広がるように形成されている。この筋かい当接部１２には、直径５．５ｍｍの複数（７つ）の釘孔１２ｃが形成されている。これら複数の釘孔１２ｃは、すべて上記上部領域１２Ｂに形成されている。
【００２０】
上記鉛直材当接部１４は、その全領域が上記筋かい当接部１２の側端縁１２ｂから垂直に延出するように折り曲げ形成されている。一方、上記横架材当接部１６は、上記筋かい当接部１２の下端縁１２ａから垂直に延出するように折り曲げ形成された領域１６Ａと、上記鉛直材当接部１４の下端縁１４ａから垂直に延出するように折り曲げて形成された領域１６Ｂとからなっている。上記横架材当接部１６の２つの領域１６Ａおよび１６Ｂは、同一平面上に形成されるとともに、互いに対向する端面が、僅かな間隔をおいて折れ線状の突き合わせ部１６ａを構成している。
【００２１】
上記鉛直材当接部１４および横架材当接部１６には、直径５．５ｍｍの複数のビス孔１４ｂおよび１６ｂが各々形成されている。図３に示すように、上記鉛直材当接部１４における上記各ビス孔１４ｂの周縁部位１４ｃは、鉛直材当接面側に凹むように形成されており、また、上記横架材当接部１６における上記各ビス孔１６ｂの周縁部位１６ｃも同様に、横架材当接面側に凹むように形成されている。そして、これにより上記各ビス孔１４ｂおよび１６ｂにビス１８を挿通してこの筋かい固定金具を上記柱４および土台６に固定したとき、該ビス１８の頭１８ａが上記鉛直材当接部１４および横架材当接部１６の内面に突出するのを防止するようになっている。
【００２２】
次に、上記筋かい固定金具１０を用いた筋かい固定方法を、図４および５に基づいて説明する。
まず、図４に示すように、上記筋かい固定金具１０を柱４と土台６との隅角部Ｃに配置して、その鉛直材当接部１４および横架材当接部１６を上記柱４の側面および上記土台６の上面に当接させる。そして、ビス孔１４ｂおよび１６ｂ（図２参照）にビス１８を挿入して該ビス１８を上記柱４および土台６にねじ込むことにより、上記筋かい固定金具１０を上記隅角部Ｃに固定する。
【００２３】
次に、図５に示すように、上記隅角部Ｃに対応する部位に筋かい挿入用の切欠き部８ｂが形成された床パネル８を上記土台６またはこれに支持される大引き、根太等の上に設置する。なお、この実施形態では床材として床パネル８を用いているが、これに代えて、根太上に床板材を取り付ける構造等を採用することもできる。
その後、上記筋かい２の下端部２ａを上記切欠き部８ｂに挿通し、上記筋かい固定金具１０の鉛直材当接部１２、横架材当接部１４および筋かい当接部１６に当接させる。この状態で、上記複数の釘孔１２ｃに釘等を挿通し、上記筋かい２に釘２０を打ち付けて、該筋かい２の下端部２ａを柱と土台との隅角部に固定する。
【００２４】
上記筋かい固定金具１０は、その筋かい当接部１２に複数の釘孔１２ｃが形成されているが、上記床パネル８が設置されたとき該床パネル８の上面８ａよりも下方に位置する上記下部領域１２Ａは、上記釘孔１２ｃが形成されない挿通孔非形成領域として設定されているので、上記筋かい２を設ける前に上記床パネル８の設置を行うようにした場合においても、上記複数の釘孔１２ｃはすべて上記床パネル８の上面８ａよりも上方に露出することとなる。したがって、上記複数の釘孔１２ｃに上記釘２０を挿通させて上記筋かい２に打ち付けることが容易となる。そして、これにより上記筋かい２の下端部２ａの上記隅角部Ｃに対する結合強度を十分に確保することができる。
このように本実施形態によれば、床工事が先に行われる場合においても、筋かいの下端部を柱４と土台６との隅角部に容易かつ強固に固定することができる。
【００２５】
また、本実施形態においては、上記複数の釘孔１２ｃが形成された上部領域１２Ｂが上記下部領域１２Ａよりも広幅に形成されており、上記複数の釘孔１２ｃは該上部領域１２Ｂにおいて広範囲にわたって分布し、上記筋かい２を広い面積で固定して該筋かい２の上記隅角部Ｃへの結合強度を高めることができる。しかも、このような作用または効果を、上記床パネル８に形成される筋かい挿入用の切欠き部８ｂの大きさを必要以上に大きくすることなく得ることができる。
【００２６】
さらに、本実施形態においては、上記筋かい固定金具１０を、その横架材当接部１６に突き合わせ部１６ａを有するように折り曲げ加工して構成することにより、上記鉛直材当接部１４および横架材当接部１６の各内面に段差が生じないようにしている。また、上記鉛直材当接部１４および横架材当接部１６の各ビス孔１４ｂ、１６ｂの周縁部位１４ｃ、１６ｃを各々鉛直材当接面側および横架材当接面側に凹むように形成することにより、上記柱４および土台６に固定されたビス１８の頭１８ａが上記鉛直材当接部１４あるいは横架材当接部１６の内面に突出しないようにしている。このため、上記筋かい２の下端部２ａと上記鉛直材当接部１４および横架材当接部１６との密着性を極めて高いものとすることができ、これにより上記筋かい２の軸力によって、柱および横架材からなる矩形枠体の変形をより確実に拘束することが可能となる。
【００２７】
次に、上記実施形態の変形例について説明する。
図６は、上記実施形態の第１の変形例を示す斜視図である。
図示のように本変形例は、上記実施形態に対して上記筋かい固定金具１０の上記隅角部Ｃへの固定位置が異なっている。
すなわち、上記実施形態においては、上記鉛直材当接部１４および横架材当接部１６の端縁が上記柱４および土台６の側面と同一平面内に位置するようにして上記筋かい固定金具１０が固定されているが、本変形例においては、上記筋かい当接部１２の外面が上記柱４および土台６の側面と同一平面内に位置するように固定されている。
本変形例においては、上記床パネル８における筋かい挿入用の切欠き部８ｂの形成位置を上記実施形態とは異なったものとする必要はあるものの、上記実施形態と同様の作用または効果を得ることができる。
【００２８】
図７は、上記実施形態の第２の変形例を示す斜視図である。
図示のように本変形例は、上記実施形態とは上記筋かい２の下端部２ａの固定位置が異なっている。
すなわち、上記実施形態においては、上記筋かい２の下端部２ａが上記筋かい当接部１２に対してその内側に当接する場合について説明したが、本変形例においては、上記筋かい２の下端部２ａが上記筋かい当接部１２に対してその外側に当接している。
本変形例においては、上記筋かい２の下端部２ａが上記鉛直材当接部１４および横架材当接部１６の内面ではなく、上記柱４および土台６に直接当接することとなり、また上記釘２０の打ち付け方向が上記実施形態とは逆になり、さらに上記床パネル８の筋かい挿入用の切欠き部８ｂの形状が上記実施形態とは異なったものとなるが、上記実施形態と同様の作用または効果を得ることができる。
【００２９】
【発明の効果】
以上説明したように、本願発明に係る筋かい固定金具では、取り付けられたときに床面より下に位置する部分が挿通孔非形成領域となっており、この筋かい固定金具と筋かいとを固定するための挿通孔は床面より上に位置する。このため、床材を設置した後に筋かいを建て込む場合にも、ビス、釘等の筋かい固定用部材を上記挿通孔に通して容易に筋かいに留め付けることが可能となる。
また、本願発明に係る筋かい固定方法では、筋かいや間柱等のいわゆる端柄材を建て込む前に床材を設置するので、端柄材を建て込む作業等を効率よく安全に行なうことができる。また、柱等の鉛直材と土台等の横架材との隅角部に取り付けられた筋かい固定金具の、筋かいと接合されするための挿通孔が床面より上に位置しているので、床材を設置した後であっても筋かいを容易かつ強固に固定することができる。
【図面の簡単な説明】
【図１】  本願発明に係る筋かい固定金具の一実施形態を示す平面図（ａ）、正面図（ｂ）および側面図（ｃ）である。
【図２】  図１に示す筋かい固定金具の斜視図である。
【図３】  図１中に示すIII-III 線における断面図である。
【図４】  図１に示す筋かい固定金具により筋かいの下端部を柱と土台との隅角部に固定する状態を示す斜視図である。
【図５】  図１に示す筋かい固定金具を用いて、床材が設置された後に筋かいを固定する状態を示す斜視図である。
【図６】  上記実施形態の第１の変形例を示す斜視図である。
【図７】  上記実施形態の第２の変形例を示す斜視図である。
【図８】  従来の筋かい固定金具の例を示す平面図（ａ）、正面図（ｂ）および側面図（ｃ）である。
【図９】  図８に示す、従来の筋かい固定金具により筋かいの下端部を柱と土台との隅角部に固定する状態を示す斜視図である。
【符号の説明】
２          筋かい
２ａ        筋かいの下端部
４          柱（鉛直材）
６          土台（横架材）
８          床パネル
８ａ        床パネルの上面
８ｂ        筋かい挿入用の切欠き部
１０        筋かい固定金具
１２        筋かい当接部
１２Ａ      筋かい当接部の下部領域（挿通孔非形成領域）
１２Ｂ      筋かい当接部の上部領域
１２Ｃ      筋かい当接部の中間領域（挿通孔非形成領域）
１２ａ      筋かい当接部の下端縁
１２ｂ      筋かい当接部の側端縁
１２ｃ      筋かい当接部の釘孔（挿通孔）
１４        鉛直材当接部
１４ａ      鉛直材当接部の下端縁
１４ｂ      鉛直材当接部のビス孔
１４ｃ      ビス孔の周縁部位
１６        横架材当接部
１６ａ      突き合わせ部
１６ｂ      横架材当接部のビス孔
１６ｃ      ビス孔の周縁部位
１８        ビス
１８ａ      ビスの頭
２０        釘（筋かい固定用軸部材）
Ｃ          隅角部
【図１】
0003872881.tif 000002
【図２】
0003872881.tif 000003
【図３】
0003872881.tif 000004
【図４】
0003872881.tif 000005
【図５】
0003872881.tif 000006
【図６】
0003872881.tif 000007
【図７】
0003872881.tif 000008
【図８】
0003872881.tif 000009
【図９】
0003872881.tif 000010